(57)【要約】【課題】複数枚の印刷済み付箋紙を簡単に束ねることができ、これを付箋紙束として作り置きすることができる付箋紙プリンタを提供する。【解決手段】付箋紙束Ｈから１枚ずつ付箋紙Ｈ１を引き剥がしながら、付箋紙を排出部９に向かって送り出す付箋紙送り手段１６と、引き剥がされて送られる付箋紙Ｈ１に印刷を行う印刷手段１７と、排出部９に設けられ、印刷済みの複数枚の付箋紙Ｈ１を揃えて積層する排出口トレイ１２と、排出口トレイ１２に臨み、積層された複数枚の付箋紙Ｈ１の粘着部を押圧して、複数枚の付箋紙Ｈ１を剥離可能に再粘着させる押圧手段１８と、を備えたことを特徴とする。【選択図】図２
2008080557.tif 000002
【特許請求の範囲】
【請求項１】
付箋紙束から１枚ずつ付箋紙を引き剥がしながら、前記付箋紙を排出部に向かって送り出す付箋紙送り手段と、
引き剥がされて送られる前記付箋紙に印刷を行う印刷手段と、
前記排出部に設けられ、印刷済みの前記複数枚の付箋紙を揃えて積層する排出口トレイと、
前記排出口トレイに臨み、積層された前記複数枚の付箋紙の粘着部を押圧して、前記複数枚の付箋紙を剥離可能に再粘着させる押圧手段と、を備えたことを特徴とする付箋紙プリンタ。
【請求項２】
前記排出口トレイの底板は、前記付箋紙送り手段により前記付箋紙が排出される排出位置よりも低い位置に配設され、
且つ前記排出口トレイには、送り出されてきた前記複数枚の付箋紙の先端を揃える前板と、両側を揃える側板とが設けられていることを特徴とする請求項１に記載の付箋紙プリンタ。
【請求項３】
前記前板と前記側板との間には、再粘着させた前記複数枚の付箋紙を取り出すための切欠き部が形成されていることを特徴とする請求項２に記載の付箋紙プリンタ。
【請求項４】
前記側板は、前記底板に対しスライドするように取り付けられていることを特徴とする請求項２または３に記載の付箋紙プリンタ。
【請求項５】
前記底板には、貼着される前記付箋紙の粘着部が剥離しやすいよう難粘着性を有する剥離部が形成されていることを特徴とする請求項１ないし４のいずれかに記載の付箋紙プリンタ。
【請求項６】
前記押圧手段は、前記付箋紙の粘着部の大きさに対応する押圧部材と、前記押圧部材を押圧動作させるプッシュ機構と、を有していることを特徴とする請求項１ないし５のいずれかに記載の付箋紙プリンタ。
【発明の詳細な説明】
【技術分野】
【０００１】
本発明は、付箋紙束から一枚の付箋紙を引き剥がして印刷する付箋紙プリンタに関するものである。
【背景技術】
【０００２】
従来、この種の付箋紙プリンタとして、セットされた付箋紙束から最上位の付箋紙を１枚ずつ捲り上げ、捲り上げた付箋紙を引き剥がしながら印刷すると共に、印刷済みの付箋紙を排出部に向けて排紙するものが知られている（特許文献１参照）。
【特許文献１】特開２００３−２１２３６７号公報
【発明の開示】
【発明が解決しようとする課題】
【０００３】
ところで、印刷済み付箋紙は、頻繁に同じものが使用される場合がある。このとき、上記の付箋紙プリンタでは、使用する度に、付箋紙プリンタを起動して付箋紙に印刷を行わなければならない。この手間を省くべく、事前に同じ印刷済み付箋紙を、連続印刷や連番印刷等により複数枚作成すれば、この問題は解消する。
しかしながら、従来の付箋紙プリンタでは、連続印刷や連番印刷等により連続して付箋紙を印刷すると、排出口に付箋紙が溜まり、ジャミングの原因となる。このため、排紙の都度、付箋紙を取り去る必要があるが、この作業は、ユーザにとって煩雑な作業となる。また、取り去った付箋紙は、バラバラにしておくと粘着部に塵埃が付着するため、複数枚の印刷済み付箋紙を、ユーザにより束ねるという煩雑な作業が必要となってしまう問題があった。
【０００４】
本発明は、複数枚の印刷済み付箋紙を簡単に束ねることができ、これを付箋紙束として作り置きすることができる付箋紙プリンタを提供することを課題とする。
【課題を解決するための手段】
【０００５】
本発明の付箋紙プリンタは、付箋紙束から１枚ずつ付箋紙を引き剥がしながら、付箋紙を排出部に向かって送り出す付箋紙送り手段と、引き剥がされて送られる付箋紙に印刷を行う印刷手段と、排出部に設けられ、印刷済みの複数枚の付箋紙を揃えて積層する排出口トレイと、排出口トレイに臨み、積層された複数枚の付箋紙の粘着部を押圧して、複数枚の付箋紙を剥離可能に再粘着させる押圧手段と、を備えたことを特徴とする。
【０００６】
この構成によれば、印刷済み付箋紙を排出口トレイに積層し、押圧手段により、積層した複数枚の付箋紙の粘着部を押圧することで、複数枚の印刷済み付箋紙を、再度、付箋紙束として束ねることができる。これにより、頻繁に使用する印刷済み付箋紙を、付箋紙束として作り置きすることができる。
【０００７】
この場合、排出口トレイの底板は、付箋紙送り手段により付箋紙が排出される排出位置よりも低い位置に配設され、且つ排出口トレイには、送り出されてきた複数枚の付箋紙の先端を揃える前板と、両側を揃える側板とが設けられていることが、好ましい。
【０００８】
この構成によれば、印刷済みの付箋紙を適切に積層させながら排出することができると共に、複数枚の付箋紙を位置決めした状態で排出口トレイに排出することができる。これにより、押圧手段により押圧して束ねた付箋紙束は、端を揃えた状態とすることができ、粘着部もはみ出すことがない。
【０００９】
この場合、前板と側板との間には、再粘着させた複数枚の付箋紙を取り出すための切欠き部が形成されていることが、好ましい。
【００１０】
この構成によれば、ユーザは、切欠き部から露出した複数枚の付箋紙の両側面を手掛かりとして、これを容易に取り出すことができる。
【００１１】
この場合、側板は、底板に対しスライドするように取り付けられていることが、好ましい。
【００１２】
この構成によれば、印刷される付箋紙の幅が変わっても、側板を付箋紙の幅方向にスライドさせることで、付箋紙の幅に対応させて位置決めすることができる。
【００１３】
この場合、底板には、貼着される付箋紙の粘着部が剥離しやすいよう難粘着性を有する剥離部が形成されていることが、好ましい。
【００１４】
この構成によれば、最下層の付箋紙の粘着部は、排出口トレイの底板に貼着するため、ユーザは、束ねた複数枚の付箋紙を、底板から容易に剥離して取り出すことができる。
【００１５】
この場合、押圧手段は、付箋紙の粘着部の大きさに対応する押圧部材と、押圧部材を押圧動作させるプッシュ機構と、を有していることが、好ましい。
【００１６】
この構成によれば、プッシュ機構により、押圧部材が付箋紙の粘着部に圧接されるため、簡単に複数枚の付箋紙を束ねることができる。
【発明を実施するための最良の形態】
【００１７】
以下、添付の図面を参照して、本実施形態に係る付箋紙プリンタについて説明する。この付箋紙プリンタは、パソコンと接続されており、パソコンからの制御により、装置ケース内部にセットされた付箋紙束から、１枚ずつ付箋紙を引き剥がしながら印刷を行って、装置外部に印刷済みの付箋紙を排出するものである。
【００１８】
図１に示すように、付箋紙プリンタ１は、外殻を成す装置ケース５と、装置ケース５内部に格納され、装置ケース５内部にセットした付箋紙束Ｈから付箋紙Ｈ１を引き剥がしながら印刷を行う印刷部アッセンブリ６と、を備えている。
【００１９】
付箋紙束Ｈは、裏面の基端部Ｈｋを部分糊付けした粘着部を有する長方形状の複数枚の付箋紙Ｈ１を積層したものである（図２参照）。付箋紙Ｈ１は、付箋紙束Ｈから１枚ずつ剥離され、剥離後に、この基端部Ｈｋの粘着部を介して、手帳等に貼着される。
【００２０】
装置ケース５は、全体として小型に形成されており、装置ケース５の下部前面には、後述する付箋紙カセット１５を装置ケース５内部に前方から引出し式で導入するためのカセット導入開口１０が形成されている。装置ケース５の上部前面中央には、排出部９が設けられており、排出部９は、印刷済み付箋紙Ｈ１を装置ケース５外部に送り出すための排出口１１と、排出口１１を境に装置ケース５内部から装置ケース５外部へ延在し、印刷済み付箋紙Ｈ１を受ける排出口トレイ１２と、を有している。また、装置ケース５の上面には、リボンカートリッジＣを装着すると共に、メンテナンスのための開閉蓋１３が取り付けられ、この開閉蓋１３の前面には、後述するプッシャ（プッシュ機構）５６の上下移動を許容するプッシャ開口１４が形成されている。なお、詳細は後述するが、排出口トレイ１２は、排紙された付箋紙Ｈ１を複数枚積層して受けることが可能となっている。
【００２１】
図２に示すように、印刷部アッセンブリ６は、付箋紙束Ｈをセットする付箋紙カセット１５と、ピックアップローラ２５を有し、セットした付箋紙束Ｈの最上位の付箋紙Ｈ１を捲上げ位置２０において捲り上げた後、付箋紙Ｈ１を引き剥がして排出口１１に向かって搬送する付箋紙送り手段１６と、サーマルヘッド２６を有し、ピックアップローラ２５と協働して搬送されてゆく付箋紙Ｈ１に印刷を行う印刷手段１７と、排出口トレイ１２に排出された複数枚の付箋紙を押圧して再粘着させる押圧手段１８と、を備えており、これらは上記した装置ケース５内に収容されている。つまり、上記のピックアップローラ２５は、付箋紙送り手段１６の送りローラと印刷手段１７のプラテンローラとを兼ねた構成となっている。
【００２２】
付箋紙カセット１５は、上面を開放すると共にボックス状に形成されたカセットケース３０と、カセットケース３０に収容され、付箋紙束Ｈを水平に載置する載置ステージ３１と、で構成され、載置ステージ３１とカセットケース３０の底面との間には、載置ステージ３１を上方に付勢するコイルバネ３２が介設されている。また、付箋紙カセット１５は、装置ケース５のカセット導入開口１０を介して、引き出し式で着脱自在に装着する構成となっている。このため、付箋紙束Ｈの交換や装着を行う際には、付箋紙カセット１５ごと取り出して、付箋紙束Ｈをセットする。
【００２３】
カセットケース３０は、載置ステージ３１をスライド自在に案内する四周枠状のケース本体３３と、ケース本体３３の上端部に設けられ、付箋紙束Ｈの先端部Ｈｓおよび基端部Ｈｋを押さえるよう内向きに突設された一対の位置規制部３４と、で一体に形成されている。
【００２４】
この付箋紙カセット１５に、カセットケース３０の上方から付箋紙束Ｈを載置ステージ３１上にセットすると、付箋紙束Ｈは、コイルバネ３２により上方に付勢されると共に、その先端部Ｈｓおよび基端部Ｈｋが一対の位置規制部３４により、水平に載置された状態で位置規制される。すなわち、付箋紙Ｈ１が１枚ずつ送り出され目減りしても、その最上位に位置する付箋紙Ｈ１の高さレベルが一定となる。このとき、付箋紙束Ｈをセットした位置が、付箋紙送り手段１６により捲り上げられる捲上げ位置２０となる。
【００２５】
付箋紙送り手段１６は、捲上げ位置２０に臨んだ付箋紙束Ｈの最上位の付箋紙Ｈ１を捲り上げるよう構成されており、最上位の付箋紙Ｈ１に転接してこれを捲り上げると共に捲り上げた付箋紙Ｈ１を引き剥がすピックアップローラ２５と、ピックアップローラ２５を捲上げ位置２０とサーマルヘッド２６に接触する印刷位置２１との間で移動させるローラ移動手段４０と、ピックアップローラ２５およびローラ移動手段４０の駆動源となる駆動モータ４１と、駆動モータ４１の駆動力をピックアップローラ２５およびローラ移動手段４０に伝達する減速ギヤ列４２と、を備えている。
【００２６】
ピックアップローラ２５は、捲り上げた付箋紙Ｈ１の先端側の裏面に転接すると共に、印刷位置２１において付箋紙を引き剥がしながら回転送りするものであり、ピックアップローラ２５のローラ駆動軸４５には、駆動モータ４１の動力が上記の減速ギヤ列４２を介して伝達される。
【００２７】
ローラ移動手段４０は、先端部でローラ駆動軸４５を回転自在に保持すると共に、基端部を中心に回動（揺動）自在に構成された一対の回動アーム５０を有しており、例えば、一方の回動アーム５０をキャリアとし、且つ上記の減速ギヤ列４２を構成する一部のギヤを利用した遊星歯車機構と、そのギヤの回転力を回動アーム５０の回動動作に変換するカム機構とにより構成されている。すなわち、遊星歯車機構による円運動が、カム機構により回動アーム５０の往復回動運動に変換されるようになっている。この回動アーム５０の往復回動運動により、ピックアップローラ２５が、捲上げ位置２０と印刷位置２１との間で往復移動する。
【００２８】
印刷手段１７は、引き剥がされて送られる付箋紙に印刷を行うサーマルヘッド２６と、装着されたリボンカートリッジＣのインクリボンＲを巻き取るリボン巻取り機構（図示省略）とを有している。リボンカートリッジＣは、インクリボンＲを繰り出し自在に巻回したリボン繰出しリール５１と、インクリボンＲを巻き取るリボン巻取りリール５２と、これらを回転自在に収容するカートリッジケース（図示省略）とから構成されている。また、リボン巻取り機構は、ピックアップローラ２５が印刷位置２１へ移動すると、上記の減速ギヤ列４２と連結して駆動モータ４１からの動力が入力するようになっており、付箋紙Ｈ１の送りと併せて、インクリボンＲの巻取り（送り）を開始するようになっている。すなわち、印刷位置２１が、印刷済みの付箋紙Ｈ１を排出する排出位置となっている。
【００２９】
付箋紙Ｈ１へ印刷すべく、印刷処理動作を開始すると、付箋紙送り手段１６は、付箋紙カセット１５にセットされた付箋紙束Ｈに対し、捲上げ位置２０に臨んだピックアップローラ２５により、最上位の付箋紙Ｈ１を捲り上げ、この状態で回動アーム５０によりピックアップローラ２５を印刷位置２１に移動させる。すると、印刷位置２１に移動したピックアップローラ２５は、捲り上げた付箋紙Ｈ１と装着したリボンカートリッジＣから繰り出されるインクリボンＲとを、サーマルヘッド２６と共に挟み込み、ピックアップローラ２５により付箋紙Ｈ１を排出口１１に向かって送ると共に、印刷手段１７は、送られる付箋紙Ｈ１にサーマルヘッド２６によりインクリボンＲのインクを熱転写する。
【００３０】
押圧手段１８は、排出口１１の近傍に配設されており、排出口トレイ１２に排出された複数枚の付箋紙Ｈ１の粘着部を押圧すると共に板状に形成された押圧部（押圧部材）５５と、押圧部５５に連なり、ユーザによる手動操作により押圧部５５を上下移動させるプッシャ５６と、を有している。
【００３１】
押圧部５５は、その押圧面が、付箋紙Ｈ１の粘着部の面積と同じか、あるいはそれよりも大きく形成されており、付箋紙Ｈ１の粘着部の全面を押圧するよう構成されている。
【００３２】
プッシャ５６は、上下にスライドするよう構成されており、ユーザにより押し下げられるボタン部５７と、ボタン部５７と押圧部５５とを連結する連結部５８と、押圧部５５を上方に付勢するよう装置ケース５内部と押圧部５５との間に張設されたプッシュコイルバネ３２と、を有している。このため、定常状態において、押圧部５５は排出口トレイ１２から離れた状態となっており、また、ボタン部５７を押すことで、押圧部５５を移動させ、排出口トレイ１２の底板７０との間に複数枚の付箋紙Ｈ１を挟持することで、複数枚の付箋紙Ｈ１が束ねられるよう構成されている。
【００３３】
ここで、図１を参照して、装置ケース５の排出部９に設けられた排出口トレイ１２について詳細に説明する。排出口トレイ１２は、排紙された印刷済み付箋紙Ｈ１を受ける底板７０と、底板７０の排出方向先端側に立設され、排紙された付箋紙Ｈ１の先端を位置決めする前板７１と、底板７０の両側に立設され、排紙された付箋紙Ｈ１の両側を位置決めする一対の側板７２と、を有している。
【００３４】
底板７０は、前板７１と一体に形成されており、印刷位置２１よりも低い位置となるように配設されている。このため、例えば、連続して付箋紙Ｈ１が排出口１１から排紙されたとしても、排紙された付箋紙Ｈ１は、排出口１１を塞ぐことなく、適切に排紙される。また、底板７０には、最下層の付箋紙Ｈ１の粘着部が貼着されるため、この粘着部が剥離しやすいよう、本実施形態では、底板７０を難粘着性の部材で構成している。すなわち、底板７０全面が、難粘着性の剥離部となっている。なお、剥離部は、少なくとも粘着部が貼着される部分に形成すればよい。また、難粘着性の部材として、例えば、ジュラコン（登録商標）等のＰＯＭ（ポリオキシメチレン）が用いられている。
【００３５】
一対の側板７２は、排出方向に直交する付箋紙Ｈ１の幅方向に、スライド自在に移動するよう構成されており、一対の側板７２を、セットした付箋紙束Ｈの幅に合わせることで、排紙される付箋紙Ｈ１の幅が位置決めされる構成となっている。また、一対の側板７２は、その排出方向先端側が前板７１と離間している。このため、前板７１と一対の側板７２との間には、それぞれ切欠き部７３が形成されており、各切欠き部７３から露出した複数枚の付箋紙Ｈ１の両側面を手掛かりとして、束ねられた複数枚の付箋紙Ｈ１を取り出すことが可能となっている。
【００３６】
次に、図３ないし図５を参照して、排紙された複数枚の付箋紙Ｈ１を束ねる一連の動作について説明する。なお、本実施形態の付箋紙プリンタ１は、連続印刷や連番印刷を行えるよう構成されている。
【００３７】
印刷待機状態において、ピックアップローラ２５は、捲上げ位置２０にあり、付箋紙カセット１５にセットされた付箋紙束Ｈの最上位の付箋紙Ｈ１の表面に転接している（図３（ａ）参照）。
【００３８】
付箋紙プリンタ１に接続されたパソコンにより連続印刷開始を指示すると、ピックアップローラ２５は回転して付箋紙Ｈ１の捲り上げ動作を開始する。すなわち、ピックアップローラ２５が最上位の付箋紙Ｈ１に対し、表面の自由端側に転接することで、その長手方向の中間部が次第に上方へと湾曲するように撓んでいく（図３（ｂ）参照）。
【００３９】
捲り上がっていく付箋紙Ｈ１の先端がピックアップローラ２５の下側を通過した直後、付箋紙Ｈ１は、ピックアップローラ２５の回転により、ピックアップローラ２５の上側に撥ね上げられ、付箋紙Ｈ１の先端部がピックアップローラ２５に乗り上げる（図３（ｃ）参照）。
【００４０】
付箋紙Ｈ１を載せたピックアップローラ２５は、続いて、回転（自転）しつつ、捲上げ位置２０から印刷位置２１に移動（公転）する（図４（ｄ）参照）。ピックアップローラ２５が印刷位置２１に達してサーマルヘッド２６との間に付箋紙Ｈ１を挟持すると、これに併せてインクリボンＲの送りが開始される（図４（ｅ）参照）。
【００４１】
印刷位置２１に臨んだピックアップローラ２５は、サーマルヘッド２６と協働して、挟み込んだ付箋紙Ｈ１を付箋紙束Ｈから引き剥がし、先端側を先にして排出口１１に向けて回転送りすると同時に、付箋紙Ｈ１の表面に先端側から印刷を行う（図４（ｆ）参照）。
【００４２】
そして、付箋紙Ｈ１の粘着部がピックアップローラ２５を通過して、印刷済み付箋紙Ｈ１が排出口トレイ１２に受け渡されると、ピックアップローラ２５は、印刷位置２１から捲上げ位置２０に移動する（図５（ｇ）参照）。連続印刷で指定した枚数分、付箋紙Ｈ１の印刷が終了し、複数枚の付箋紙Ｈ１が排出口トレイ１２に積層されると、ユーザは、プッシャ５６を押し下げて、押圧部５５により、複数枚の付箋紙Ｈ１の粘着部を押圧する（図５（ｈ）参照）。この後、ユーザがプッシャ５６を離すと、プッシャ５６が押し戻され、複数枚の付箋紙Ｈ１が束ねられた付箋紙束Ｈを得ることとなる（図５（ｉ）参照）。
【００４３】
以上の構成によれば、印刷済み付箋紙Ｈ１を排出口トレイ１２に積層し、押圧手段１８により、積層した複数枚の付箋紙Ｈ１の粘着部を押圧することで、複数枚の印刷済み付箋紙Ｈ１を、再度、付箋紙束Ｈとして束ねることができる。これにより、頻繁に使用する印刷済み付箋紙Ｈ１を、付箋紙束Ｈとして作り置きすることができる。なお、本実施形態では、押圧手段１８は手動により付箋紙Ｈ１の粘着部を押圧する構成としたが、モータやソレノイド等のアクチュエータを動力源として、パソコンの制御により、自動で付箋紙Ｈ１の粘着部を押圧する構成としてもよい。また、押圧手段１８が手動の場合には、押圧手段１８と排出口トレイ１２とをユニット化し、これを排出部９へ着脱自在に装着する構成としてもよい。
【図面の簡単な説明】
【００４４】
【図１】本実施形態に係る付箋紙プリンタの外観斜視図である。
【図２】付箋紙プリンタの断面模式図である。
【図３】付箋紙プリンタに係る一連の動作の前半工程図である。
【図４】付箋紙プリンタに係る一連の動作の中盤工程図である。
【図５】付箋紙プリンタに係る一連の動作の後半工程図である。
【符号の説明】
【００４５】
１…付箋紙プリンタ  ９…排出部  １２…排出口トレイ  １６…付箋紙送り手段  １７…印刷手段  １８…押圧手段  ５５…押圧部  ５６…プッシャ  ７０…底板  ７１…前板  ７２…側板  ７３…切欠き部
【図１】
2008080557.tif 000003
【図２】
2008080557.tif 000004
【図３】
2008080557.tif 000005
【図４】
2008080557.tif 000006
【図５】
2008080557.tif 000007